(57)【要約】【目  的】天候の状況により予測できない降雨のため、干し物や展示物等を濡らしてしまうことが、多くある。このような降雨から干し物や展示物等を濡らすことなく取り入れることができるようにしたものであり、微量の降雨でセンサーを感知させ、制御部機構を動作させることで降雨により干し物や展示物等を濡らすことを防止する装置である。【構  成】干し物等を降雨により濡らすことを防止するために、微量の降雨を感知するセンサーとそのセンサーの電気信号により、防雨シート制御機構を動作させる本発明装置を既存の干し物台等の上方にセットし、降雨時に自動で防雨シートを干し物等にかける装置である。【選択図】  図９
2004154502.tif 000002
【特許請求の範囲】
【請求項１】
干し物や展示物等を屋外へ出した後で天候が崩れ雨天となったとき、微量の降雨であってもセンサーが降雨を感知して、干し物や展示物等に防雨シートを自動でかけ、雨に濡らすことを防ぐ装置
【発明の詳細な説明】
【０００１】
【産業上の利用分野】
本発明は、天候の変化による、予想し難い不意の降雨から、干し物等を濡らすことを防ぐものである。
【０００２】
【従来の技術】
従来は、天候の変化で降雨があったことに気づかなかたり、干し物等を干したまま出かけたときや急激な天候の変化のため突然の降雨により干し物等を降雨で濡らしてしまい、降雨から干し物等を濡らすことを防止することができない。
【０００３】
【発明が解決しようとする課題】
天気予報で降雨確率が予測されているが、それは広域における大まかな予想確率であり、限られた地域や厳密な時間における降雨について信頼できるものではない、そのため干し物等を降雨に濡らしてしまうことが多くある。このような問題点を解決するものである。「本発明は、そのような問題を解決し干し物等を不意の降雨で濡らすことを防止する為の装置である。」
【０００４】
【課題を解決するための手段】
その構成を説明すると
（イ）降雨を感知するための電子装置を設ける。＜図１＞
（ロ）（イ）で感知した電子信号でモーターを駆動させる。
（ハ）モーターが駆動することで、バネの収縮ロックが外れてストッパー用の棒が移動する。＜図２→図３＞
（ニ）（ハ）によりストッパー用の棒が移動すると、防雨シートの端に取り付けられてある棒の重みにより、収納防雨シートが下がる。よって、干し物等に防雨シートがかけられる。＜図４＞
以上のような装置により解決する。
【０００５】
【作用と実施例】
（１）図１から図９は本発明の１つの実施例である。図１は降雨を感知する為のセンサー部分（１と２の斜線部分は電気の導通体、３は絶縁体）の回路図を示す。このセンサー部分に雨の小滴が微量付着すると、１と２の間で電流が導通状態となる。このため電子回路が動作し、モーターが駆動する。＜図１＞
（２）図２に制御部機構図を示す。
モーター４が回転すると、歯車ボックス５により回転数を３００分の１程度に下げることができる。このとき５の先に取り付けた回転移動板７が回転して、バネ１２の伸張を制御している板１０が上方へ移動する。このためバネに取り付けた板１１がバネの伸張を制御している板１０が外されるため、バネ１２は伸張する。これと同時にバネに取り付けてある板１１が電源スイッチ９をＯＦＦにすると共にシート巻き取り止め棒１３が移動する。＜図２→図３＞
（３）図４にシート格納機構図を示す。
シート巻き取り軸１５に取り付けたシート巻き取り軸回転止め１４を止めている図３の１３のロックが外れる。するとシート下げ重し棒１７の重みで防雨シート１６が図９の誘導ひも３６に沿って下がる。以上の操作で干し物等に防雨シートがかけられる。（ここで１８は防雨シートが下がり易くするためのベアリングである。）
（４）図４の１９は図９の誘導ひも３６の上を滑りやすくする。（小さな丸２０はベアリングである。）
（５）図５は図２の制御部機構図のシート巻き取り軸止め棒１３と図４のシート格納機構図のシート巻き取り軸回転止め１４の位置関係を示したのもである。
（６）図６にシート巻き取り機構図を示す。
図６は防雨シート１６が降雨感知により、干し物等に防雨シートがかけられたとき干し物等を取り入れた後で、降雨以前の状態に防雨シート１６を巻き取るための巻き取り器である。図６を図８に入れることにより図６の２３の部分が図８の２４の部分を押し込む。このとき図８の２６のバネが収縮して、図８のシート下げ止め歯車３２の歯の部分から図８の２５の歯車回転止めが外される。このとき図６の２２の溝に図８のシート巻き取り軸回転止め１４が入り、図６のハンドルを回すことにより防雨シート１６を巻き取ることができる。
（７）図７は、図１と図２を立体化した立体図であり、干し物等を干した後に図７を図８（図４の左端部分）にセットする。
（８）図７を図８（図４の左端部分）にセットすることにより、図７のシート巻き取り軸止め棒１３が図５に示すようにシート巻き取り軸回転止め１４が図４の防雨シート１６が下がるのを止める。さらに深く挿入することにより図７の２７の部分が図８の２４の部分を押し込むので、図８のシート下げ止め歯車３２の歯の部分から図８の２５の歯車回転止めが外される。
（９）図７の３０は図１の降雨を感知する為のセンサー部分、及び図７の２９は図２の制御部機構図の取り付け位置を立体図で示したものである。干し物等を干した（屋外へ出した）後で、図７のこの部分（制御部機構図部分）をセットする。
（１０）図９は、既存の干し物台に本発明装置を実装したものである。図９の３３は図７の降雨を感知する為のセンサー部分及びセンサー信号による制御部機構図部分である。
【０００６】
【発明の効果】
このような本装置を既存の干し物台等の上に取り付けることにより、予測出来なかった降雨に対しても干し物等（洗濯物や展示物など）を濡らすことなく取り入れることが出来る。
【図面の簡単な説明】
【図１】本発明のセンサー（小雨感知）図および回路図
１、２は電流の導通体
３は電流の絶縁体
【図２】本発明の制御部機構図
４は１と２の間に降雨の小滴が付着し、電流の導通により回転するモーター
５はモータの回転数を下げる歯車ボックス
６はモーター取り付け固定板
７は回転移動板（バネ抑え板１０を移動させる板）
８は小雨感知の電子回路プリント基板
９は電源入切スイッチ
１０はバネ伸張押さえ板
１１はバネ収縮を解除し、電源スイッチをＯＦＦにする板
１２はシート巻き取り軸止め棒を移動させるバネ
１３はシート巻き取り軸止め棒
【図３】本発明のセンサー部に小雨が当たりモーターが回転し、バネが伸張しシート巻き取り軸止め棒が移動した状態
【図４】本発明のシート巻き取り軸機構図（シート格納部）
１４はシート巻き取り軸回転止め
１５はシート巻き取り軸
１６は防雨シート
１７はシート下げ重し棒
１８はシート巻き取り軸１５を回転させ易くするためのベアリング
１９は図９の誘導ひもの上を滑り易くする鼓
２０は１９の鼓の回転を良くするベアリング
【図５】図２のシートかけ制御機構部と図４の降雨濡れ防止シート格納部の位置関係
１３は降雨を感知することにより左側に移動する
１４はシート巻き取り軸回転止め
【図６】降雨により干し物等に防雨シートがかけられたとき、そのシートを巻き取るハンドル
２１は２２の部分に図８のシート巻き取り軸回転止め１４の位置に入るまで、収縮するバネ
２２はこの部分に図８のシート巻き取り軸回転止め１４が入る
２３のこの先端部分が図８の２４を押す
【図７】降雨濡れ防止シート下げ止め機構（シートかけ制御部）
２８は電子回路及びモータ回転のための電池
２９は図２のシートかけ制御機構部
３０は図１のセンサー部（小雨感知部分）
３１は図７と図８にセットさせる為のロック部分
【図８】巻き取りハンドル及びシートかけ制御部の取り付けによる、シート下げ解除機構
３２はシート下げ止め歯車
２４は巻き取りハンドル及びシートかけ制御部がセットされたとき歯車から歯車回転止めを外す突起
２５は歯車回転止め
２６は巻き取りハンドル及びシートかけ制御部が、セットされたとき２４が押され収縮するバネ
【図９】既存の干し物台に本発明装置をセットした設置図
３３は図７の降雨濡れ防止シート下げ止め機構
３４は図４の降雨濡れ防止シート格納部
３５はシート下げ重し棒（図４の１７）
３６は降雨濡れ防止シート誘導ひも
３７は本発明装置の取り付け金具
３８は既存の干し物竿
３９は既存の干し物台
４０は降雨濡れ防止シート誘導ひもの取り付け金具
４１は降雨濡れ防止シート格納部
【図１】
2004154502.tif 000003
【図２】
2004154502.tif 000004
【図３】
2004154502.tif 000005
【図４】
2004154502.tif 000006
【図５】
2004154502.tif 000007
【図６】
2004154502.tif 000008
【図９】
2004154502.tif 000009
【手続補正書】
【提出日】平成15年1月15日(2003.1.15)
【手続補正１】
【補正対象書類名】図面
【補正対象項目名】全図
【補正方法】変更
【補正の内容】
【図１】
2004154502.tif 000010
【図２】
2004154502.tif 000011
【図３】
2004154502.tif 000012
【図４】
2004154502.tif 000013
【図５】
2004154502.tif 000014
【図６】
2004154502.tif 000015
【図７】
2004154502.tif 000016
【図８】
2004154502.tif 000017
【図９】
2004154502.tif 000018